(57)【要約】【課題】放熱性を維持しつつ、背面側からの光漏れを防ぐことのできる液晶表示装置を提供する。【解決手段】本発明に係る液晶表示装置は、フロントキャビネット30と、前記フロントキャビネットの背面を覆うバックキャビネット50と、前記フロントキャビネットに前側周縁が当接するよう載置される液晶パネルと、前記液晶パネルを背面から照射する１又は複数の発光ダイオード62と、を具え、前記バックキャビネットは、上面が背面側に向けて傾斜する傾斜面52を有し、前記傾斜面には、１又は複数の放熱孔53が貫通開設されており、前記放熱孔には、前記バックキャビネットの内面側にて下方向に延びる第１遮光板54と、前記バックキャビネットの背面側にて背面方向に延びる第２遮光板55と、が突設されている。【選択図】図５
2015012300.tif 000002
【特許請求の範囲】
【請求項１】
フロントキャビネットと、
前記フロントキャビネットの背面を覆うバックキャビネットと、
前記フロントキャビネットに前側周縁が当接するよう載置される液晶パネルと、
前記液晶パネルを背面から照射する１又は複数の発光ダイオードと、
を具え、
前記バックキャビネットは、上面が背面側に向けて傾斜する傾斜面を有し、
前記傾斜面には、１又は複数の放熱孔が貫通開設されており、
前記放熱孔には、
前記バックキャビネットの内面側にて下方向に延びる第１遮光板と、
前記バックキャビネットの背面側にて背面方向に延びる第２遮光板と、
が突設されている、
ことを特徴とする液晶表示装置。
【請求項２】
前記放熱孔は、前記バックキャビネットの内側下端が、前記第１遮光板と第２遮光板の先端どうしを結ぶ仮想線上又は前記仮想線よりも内面上方側に位置する、
請求項１に記載の液晶表示装置。
【請求項３】
前記放熱孔は、前記バックキャビネットの上面の左右方向に列状に複数開設されており、
前記第１遮光板及び／又は第２遮光板は、左右に隣り合う前記放熱孔の複数に亘って連続して形成される、
請求項１又は請求項２に記載の液晶表示装置。
【請求項４】
前記バックキャビネットは、樹脂製である、
請求項１乃至請求項３の何れかに記載の液晶表示装置。
【発明の詳細な説明】
【技術分野】
【０００１】
本発明は、ＬＥＤをバックライトとして使用する液晶表示装置に関するものであり、より具体的には、放熱性を維持しつつ、背面側からの光漏れを防ぐことのできる液晶表示装置に関するものである。
【背景技術】
【０００２】
液晶表示装置は、液晶パネルの背面に拡散板、光学フィルム、偏光板などの光学シートを積層し、背面側からバックライトを照射することで映像等の表示を行なっている(たとえば、特許文献１参照)。
【０００３】
バックライトとして、発光ダイオード(ＬＥＤ)の使用が主流となっている。ＬＥＤは、発光の際に発熱するから、特許文献１では、背面側のキャビネットを金属製とし、ＬＥＤと金属製キャビネットとを放熱部材により熱伝達可能に連繋している。
【先行技術文献】
【特許文献】
【０００４】
【特許文献１】特開２０１３−８４４９２号公報
【発明の概要】
【発明が解決しようとする課題】
【０００５】
しかしながら、金属製のキャビネットは、複雑な構造を採ることは困難であるため、設計の自由度に大きく制約を受ける。
【０００６】
そこで、背面側のキャビネットを樹脂製とし、ＬＥＤ基板の背面側にのみ放熱孔を形成することも想定される。しかしながら、これでは、十分な放熱効果を得ることができない。
【０００７】
本発明の目的は、放熱性を維持しつつ、背面側からの光漏れを防ぐことのできる液晶表示装置を提供することである。
【課題を解決するための手段】
【０００８】
本発明に係る液晶表示装置は、
フロントキャビネットと、
前記フロントキャビネットの背面を覆うバックキャビネットと、
前記フロントキャビネットに前側周縁が当接するよう載置される液晶パネルと、
前記液晶パネルを背面から照射する１又は複数の発光ダイオードと、
を具え、
前記バックキャビネットは、上面が背面側に向けて傾斜する傾斜面を有し、
前記傾斜面には、１又は複数の放熱孔が貫通開設されており、
前記放熱孔には、
前記バックキャビネットの内面側にて下方向に延びる第１遮光板と、
前記バックキャビネットの背面側にて背面方向に延びる第２遮光板と、
が突設されている。
【発明の効果】
【０００９】
本発明の液晶表示装置によれば、放熱孔は、バックキャビネットの内面側の第１遮光板と、背面側の第２遮光板によって、キャビネット内部から放熱孔を通る光を遮断することができ、光漏れを防止することができる。
また、放熱孔は、バックキャビネットの上方に設けられているから、内部で発生した熱を効率よく放出することができる。
【図面の簡単な説明】
【００１０】
【図１】図１は、本発明に係る液晶表示装置を前面側から見た分解斜視図である。
【図２】図２は、フロントキャビネットとバックキャビネットの背面側から見た分解斜視図である。
【図３】図３は、本発明に係る液晶表示装置の縦断面図である。
【図４】図４は、本発明に係る液晶表示装置のバックキャビネットの斜視断面図である。
【図５】図５は、放熱孔の近傍を拡大して示す斜視断面図である。
【図６】図６は、放熱孔の近傍の拡大断面図である。
【発明を実施するための形態】
【００１１】
以下、本発明の一実施形態に係る液晶表示装置(10)について、図面を参照しながら説明を行なう。
【００１２】
全体構成として、本発明に係る液晶表示装置(10)は、図１に示すように、パネルモジュール(20)の前面側にフロントキャビネット(30)、背面側に反射パネル(40)とバックキャビネット(50)を具える。
【００１３】
バックキャビネット(50)の背面には、図２に示すように開口(56)が形成されており、この開口(56)には、図１に示すように液晶表示装置(10)の制御を行なう基板(16)が配置される。なお、図２では、バックキャビネット(50)には基板(16)を図示していない。
【００１４】
液晶表示装置(10)の下部には、補強プレート(51)が装着され、スタンド(12)をネジ止めして、液晶表示装置(10)を自立させることができる。
【００１５】
フロントキャビネット(30)は、矩形の窓(32)が形成されたフレームである。フロントキャビネット(30)には、図１及び図３に示すように、フロントキャビネット(30)に前側周縁が当接するよう載置されるパネルモジュール(20)が取り付けられている。
【００１６】
パネルモジュール(20)は、液晶パネルと、液晶パネルの背面側に積層される１又は複数の光学シートとを含んでいる。なお、これらの他、保護シート等が貼着又は積層されることもある。図示の実施例では、パネルモジュール(20)は、複数のフレーム(22)によって周縁を覆われている。
【００１７】
図１乃至図３に示すように、バックキャビネット(50)は、背面側に凹んだ形状に形成することができる。
【００１８】
バックキャビネット(50)は、上面が背面側に向けて傾斜する傾斜面(52)が形成されている。この傾斜面(52)には、後述するとおり、放熱孔(53)が貫通開設されている。
【００１９】
バックキャビネット(50)には、背面から前面側に向けて複数のリブ(57)が突設されている。これらリブ(57)は、後述するバックライト(60)を取り付けるブリッジ(68)が装着される。リブ(57)を必要数よりも密に形成しておくことで、バックライト(60)に応じてブリッジ(68)の取付位置や設置個数の選択幅を広げることができる。
【００２０】
バックキャビネット(50)の下面は、左右が背面に向けて膨らんだ形状であり、その中には図１に示すように夫々スピーカ(14)が配置される。バックキャビネット(50)は、スピーカ(14)と対向する下面には、複数の音声出力孔(58)が開設されている。
【００２１】
バックキャビネット(50)の前面側には、図１に示すように、バックライト(60)が配置される。バックライト(60)として、ＬＥＤ(発光ダイオード)(62)を採用することができる。ＬＥＤ(62)は、バックキャビネット(50)の左右方向に懸架された複数のブリッジ(68)に所定間隔で配置することができる。ＬＥＤ(62)は、ＬＥＤ用基板(64)に実装され、上記した基板(16)と電気的に接続されて、発光が制御される。
【００２２】
ＬＥＤ(62)は、バックキャビネット(50)の左右方向に懸架された複数のブリッジ(68)にＬＥＤ用基板(64)を介して所定間隔で配置することができる。ブリッジ(68)は、前述のリブ(57)にネジ止め等により固定される。ブリッジ(68)は、金属製とし、長手方向に沿う側部を後方に向けて屈曲させている。背面に向けてコ字状断面とすることで、ＬＥＤ(62)の放熱性とブリッジ(68)自体の強度を可及的に高めることができる。
【００２３】
ＬＥＤ(62)の照射光が効率よくパネルモジュール(20)に照射されるように、図１乃至図３に示す如く、バックキャビネット(50)の前面側は、反射パネル(40)にて覆われる。反射パネル(40)は、前面側が光反射効率を高めるために白色となっており、ＬＥＤ(62)が臨出する複数のＬＥＤ用孔(42)が開設されている。反射パネル(40)は、横方向の長さがバックキャビネット(50)と略一致しており、縦方向の長さは、バックキャビネット(50)にスピーカ(14)等が配置される分だけ、バックキャビネット(50)よりも短い。
【００２４】
上記構成の反射パネル(40)は、ＬＥＤ用孔(42)からＬＥＤ(62)が臨出するようにバックキャビネット(50)に取り付けることができる。
【００２５】
前述したバックキャビネット(50)の傾斜面(52)には、図４乃至図６に示すように、放熱孔(53)が貫通開設されている。放熱孔(53)は、バックキャビネット(50)の内部で発生する熱、たとえば、ＬＥＤ(62)からの発生する熱を外部に放出するための孔である。放熱孔(53)は、図５及び図６に拡大して示すように、断面矩形の孔を例示できるが、断面円形、楕円形等の形状であってもよい。
【００２６】
放熱孔(53)は、図５に示すように、バックキャビネット(50)の上面の左右方向に列状に複数開設することができる。放熱孔(53)の列を複数形成することで放熱効果をより高めることができる。
【００２７】
ＬＥＤ(62)を発光させたときに、反射パネル(40)のＬＥＤ用孔(42)等を通じて、ＬＥＤ(62)の光がバックキャビネット(50)側を照らす。これら光は、放熱孔(53)を通じて外部に漏れ出ることがある。明るい室内等であれば、漏れ出た光はあまり影響を与えないが、暗い室内において、特にバックキャビネット(50)が壁面に近い場合には、漏れ出た光が壁面を照らしてしまうことがある。
【００２８】
そこで、本発明では、放熱孔(53)には、バックキャビネット(50)の内面側に第１遮光板(54)と、バックキャビネット(50)の背面側に第２遮光板(55)を突設している。
【００２９】
第１遮光板(54)は、バックキャビネット(50)の傾斜面(52)の内面側から下方向に向けて延びており、先端が鉛直下向きとなるように形成することが望ましい。第１遮光板(54)は、図４に示すように、左右に隣り合う複数の放熱孔(53)に亘って連続して形成することが望ましい。これにより、放熱孔(53)毎に第１遮光板(54)を形成した場合に比べて、左右方向からの遮光効率を高めることができ、また、第１遮光板(54)の強度も高めることができる。
【００３０】
第２遮光板(55)は、バックキャビネット(50)の傾斜面(52)の背面側から背面方向に向けて延びており、先端が水平となるように形成することが望ましい。第２遮光板(55)も、図４に示すように、左右に隣り合う複数の放熱孔(53)に亘って連続して形成することが望ましい。これにより、放熱孔(53)毎に第２遮光板(55)を形成した場合に比べて、放熱孔(53)を通過した光の遮蔽効率を高めることができる。
【００３１】
図示の実施例では、第１遮光板(54)及び第２遮光板(55)は、バックキャビネット(50)と一体に樹脂成形することで形成している。なお、第１遮光板(54)及び／又は第２遮光板(55)は、バックキャビネット(50)とは別に形成し、バックキャビネット(50)にネジ止めや接着などにより取り付けることもできる。
【００３２】
第１遮光板(54)と第２遮光板(55)は、バックキャビネット(50)内から放熱孔(53)を通って光が漏れることを限りなく防止するために、図６に示すように、第１遮光板(54)と第２遮光板(55)の先端どうしを仮想線Ａで結んだときに、放熱孔(53)のバックキャビネット(50)の内側下端(53a)が、仮想線Ａ上又は仮想線Ａよりも内面上方側に位置するように形成することが極めて好適である。
【００３３】
然して、放熱孔(53)に第１遮光板(54)と第２遮光板(55)を設けることで、ＬＥＤ(62)の光が反射パネル(40)から漏れ出たとしても、放熱孔(53)に向かう前方又は斜め上方からの光は、第１遮光板(54)に当たって遮蔽される。また、斜め下方からの光は、一部が放熱孔(53)に達するが、大半が放熱孔(53)の内面に当たって遮蔽され、放熱孔(53)を通過した一部の光も第２遮光板(55)により遮蔽される。従って、バックキャビネット(50)から背面側に内部の光が漏れ出ることは防止できる。
【００３４】
なお、第１遮光板(54)を下方向に凸となるように形成しているから、バックキャビネット(50)内で発生した熱を放熱孔(53)に導くことができ、放熱効率を高めることができる。
【００３５】
上記説明は、本発明を説明するためのものであって、特許請求の範囲に記載の発明を限定し、或いは範囲を限縮するように解すべきではない。また、本発明の各部構成は、上記実施例に限らず、特許請求の範囲に記載の技術的範囲内で種々の変形が可能であることは勿論である。
【００３６】
たとえば、図６等では、第１遮光板(54)と第２遮光板(55)は、ほぼ同じ長さとしているが、これらの長さを変えても構わない。この場合、外部に露出する第２遮光板(55)を短くし、バックキャビネット(50)内の第１遮光板(54)を長く形成することが好適である。
【００３７】
その他、液晶表示装置(10)の構成や構造は例示であって、上記実施形態に限定されるものではないことは勿論である。
【符号の説明】
【００３８】
(10)  液晶表示装置
(20)  パネルモジュール
(30)  フロントキャビネット
(40)  反射パネル
(50)  バックキャビネット
(52)  傾斜面
(53)  放熱孔
(54)  第１遮光板
(55)  第２遮光板
(62)  ＬＥＤ
【図１】
2015012300.tif 000003
【図２】
2015012300.tif 000004
【図３】
2015012300.tif 000005
【図４】
2015012300.tif 000006
【図５】
2015012300.tif 000007
【図６】
2015012300.tif 000008